(57)【要約】【課題】ファインダミラーユニットの組立効率がよく、ファインダ像の歪みもなく、かつ防塵効果に優れたカメラを提供する。【解決手段】互いに直交する第１，第２反射面１１ａを有し撮影レンズの透過光束が入射されるダハミラー部１１、ダハミラー部１１からの反射光を接眼部に導く第３反射面およびダハミラー部１１と第３反射面とをカメラ本体の支持部２ｂに支持するための被支持部１２ａが一体化されて成るファインダミラーユニット１０と、ファインダ内への塵埃の侵入を阻止すべくファインダミラーユニット１０の下面Ｐとカメラ本体２との間に介装される弾性防塵部材３１と、ファインダミラーユニット１０の被支持部１２ａをカメラ本体の支持部２ｂに押圧して支持せしめるばね部材３２とを備え、ばね部材３２による押圧によりファインダミラーユニットの下面Ｐとカメラ本体２との間で弾性防塵部材３１が弾性変形するよう構成する。【選択図】        図４
2004157209.tif 000002
【特許請求の範囲】
【請求項１】
互いに直交する第１，第２反射面を有し撮影レンズの透過光束が入射されるダハミラー部と、該ダハミラー部からの反射光を接眼部に導く第３反射面と、前記ダハミラー部および第３反射面をカメラ本体の支持部に支持するための被支持部とが一体化されて成るファインダミラーユニットと、
ファインダ内への塵埃の侵入を阻止すべく前記ファインダミラーユニットの下面とカメラ本体との間に介装される弾性防塵部材と、
前記ファインダミラーユニットの前記被支持部を前記カメラ本体の前記支持部に押圧して支持せしめるばね部材とを備え、
該ばね部材による押圧により前記ファインダミラーユニットの下面とカメラ本体との間で前記弾性防塵部材が弾性変形するよう構成したことを特徴とするカメラ。
【請求項２】
前記被支持部は、前記ファインダミラーユニットの互いに対向する２側面のそれぞれに２ずつ突出して設けられ、前記ばね部材は、中央部がカメラ本体に固定されることで両端部に弾性力をそれぞれ発生する一対の板ばねから成り、これら一対の板ばねそれぞれの両端で前記２ずつの被支持部を前記支持部に対して押圧するよう構成したことを特徴とする請求項１に記載のカメラ。
【請求項３】
前記弾性防塵部材はスポンジ状の部材で構成されていることを特徴とする請求項１〜３のいずれかに記載のカメラ。
【請求項４】
互いに直交する第１，第２反射面を有し撮影レンズの透過光束が入射されるダハミラー部と、
該ダハミラー部からの反射光を接眼部に導く第３反射面と、
前記ダハミラー部および第３反射面をカメラ本体の支持部に支持するための被支持部と、
ファインダ内への塵埃の侵入を阻止すべくファインダミラーユニット下面とカメラ本体との間に介装される弾性防塵部材と、
前記被支持部をカメラ本体の支持部に押圧して支持せしめるばね部材とを備え、
該ばね部材による押圧により前記下面とカメラ本体との間で前記弾性防塵部材が弾性変形するよう構成したことを特徴とするファインダミラーユニット。
【発明の詳細な説明】
【０００１】
【発明の属する技術分野】
本発明は、ファインダ光学系にダハミラーを採用したカメラ、およびファインダミラーユニットに関する。
【０００２】
【従来の技術】
一眼レフカメラのファインダに用いられるミラーユニットとして、中空状のペンタダハミラーを用いたものがある。ペンタダハミラーは屋根型反射鏡などとも呼ばれ、互いに直交する一対の反射面を有する屋根型のダハミラー部と、ダハミラー部からの反射光を接眼レンズに導く第３反射面とを有する。各ミラー部は成型性を向上させるべく薄肉板形状とされるため、同様の機能を持つ中実のガラスプリズム（ペンタプリズム）と比べて大幅な軽量化が図れる。
【０００３】
ペンタダハミラーのカメラへの取付構造としては、ペンタダハミラー側および支持側の双方に凹凸を設け、それらの凹凸を係合させて固定するものがある（例えば、特許文献１参照）。ばね部材を用いてペンタダハミラーをカメラ本体側に押圧して固定するものもある（例えば、特許文献２参照）。
【０００４】
【特許文献１】
特許第３１７０５４０号公報（段落００２２，図３，図４）
【特許文献２】
特開平１１−２１８８０３号公報（段落００１６，図２）
【０００５】
【発明が解決しようとする課題】
しかしながら、上記いずれの文献の構造もペンタダハミラーの下面と本体との間に必ず隙間が生じ、その隙間からファインダ内に塵埃が侵入するという問題がある。隙間をなくす方法として、接着剤を用いてペンタダハミラーを取り付ける、換言すればペンタダハミラーと本体側取付部との間に接着剤を介在させることが考えられる。しかし、上述したようにペンタダハミラーは薄肉形状のため、接着時の押圧力や接着剤自体の硬化時の収縮変形によってペンタダハミラーが変形し、ファインダ像に歪みが生ずるおそれがある。硬化時の収縮変形が少ないシリコンラバー系の接着剤を用いることも考えられるが、これは硬化時間が長いためミラーユニットの組立効率が悪化する。
【０００６】
本発明の目的は、ミラーユニットの組立効率がよく、ファインダ像の歪みもなく、かつ防塵効果に優れたカメラおよびファインダミラーユニットを提供することにある。
【０００７】
【課題を解決するための手段】
請求項１〜４の発明に係るカメラは、互いに直交する第１，第２反射面を有し撮影レンズの透過光束が入射されるダハミラー部、ダハミラー部からの反射光を接眼部に導く第３反射面およびダハミラー部と第３反射面とをカメラ本体の支持部に支持するための被支持部が一体化されて成るファインダミラーユニットと、ファインダ内への塵埃の侵入を阻止すべくファインダミラーユニットの下面とカメラ本体との間に介装される弾性防塵部材と、ファインダミラーユニットの被支持部をカメラ本体の支持部に押圧して支持せしめるばね部材とを備え、ばね部材による押圧によりファインダミラーユニットの下面とカメラ本体との間で弾性防塵部材が弾性変形するよう構成し、これにより上記問題点を解決する。
請求項２の発明は、被支持部をファインダミラーユニットの互いに対向する２側面のそれぞれに２ずつ突出して設け、中央部がカメラ本体に固定されることで両端部に弾性力をそれぞれ発生する一対の板ばねを上記ばね部材として設け、これら一対の板ばねそれぞれの両端で前記２ずつの被支持部を前記支持部に対して押圧するよう構成したものである。
請求項３の発明は、弾性防塵部材をスポンジ状の部材で構成したものである。請求項４の発明にかかるファインダミラーユニットは、互いに直交する第１，第２反射面を有し撮影レンズの透過光束が入射されるダハミラー部と、ダハミラー部からの反射光を接眼部に導く第３反射面と、ダハミラー部および第３反射面をカメラ本体の支持部に支持するための被支持部と、ファインダ内への塵埃の侵入を阻止すべくファインダミラーユニット下面とカメラ本体との間に介装される弾性防塵部材と、被支持部をカメラ本体の支持部に押圧して支持せしめるばね部材とを備え、ばね部材による押圧により下面とカメラ本体との間で弾性防塵部材が弾性変形するよう構成したものである。
【０００８】
【発明の実施の形態】
図１〜図５により本発明の一実施の形態を説明する。
図１は本実施形態における一眼レフカメラのファインダ近傍を示している。不図示の撮影レンズを透過した被写体光束は、レンズマウント１の開口１ａからカメラボディ２内に導かれ、その一部がメインミラー３により上方に反射され、フォーカシングスクリーン４を透過してファインダミラーユニットとしてのペンタダハミラー１０に入射する。
【０００９】
図１〜図４において、ペンタダハミラー１０は、互いに直交する一対の反射面（第１，第２反射面）１１ａを有する屋根型のダハミラー部１１と、ダハミラー部１１の左右両端に連接される一対の側壁１２と、ダハミラー部１１の下部前方に配置される反射部材１３と、ダハミラー部１１の後方に配置される射出壁１４とが一体化されて成る。上記フォーカシングスクリーン４の透過光束は、まずダハミラー部１１で２度反射されて前方に導かれ、次いで反射部材１３に形成された第３反射面１３ａで後方に反射され、射出壁１４の開口を通過して正立像として接眼レンズ５に導かれる。接眼レンズ５は、カメラボディ２の後部に設けた立壁２ｃに固着されている。
【００１０】
ペンタダハミラー１０およびその取付構造について更に詳述する。
ダハミラー部１１はプラスチック成型品であり、内側の２面に金属膜を蒸着して反射面１１ａがそれぞれ形成される。反射部材１３はガラスあるいはプラスチックの成型品であり、その内側の面には予め金属膜の蒸着により第３反射面１３ａが形成される。この反射部材１３はダハミラー部１１および一対の側壁１２に固着される。
【００１１】
一対の側壁１２，反射部材１３および射出壁１４の各下端面は面一とされ、これら４つの端面で四角形状の下面Ｐが構成される。両側壁１２の外面には、下面Ｐより若干高い位置に前側突起１２ａがそれぞれ突設され、また射出壁１４の両側面には、後側突起１４ａがそれぞれ前側突起１２ａと同一高さ位置に突設されている。これら左右一対合計４個の突起１２ａ，１４ａは、後述する板ばね３２によりカメラ本体側に押圧される被支持部を構成する。
【００１２】
一方、カメラボディ２には、ペンタダハミラー１０の形状に対応する位置決め部２ａが形成され、その位置決め部２ａにてペンタダハミラー１０の左右および前後方向の位置決めがなされる。また位置決め部２ａの底面よりも少し高い位置に左右各一対の膨出部２ｂが形成され、各前後の膨出部２ｂの間にはばね座２ｄが形成されている。４箇所の膨出部２ｂは、上記突起１２ａ，１４ａをそれぞれ支持することでペンタダハミラー１０全体を支持する支持部を構成する。これらの膨出部２ｂや突起１２ａ，１４ａは、支持したときにペンタダハミラー１０が傾くことのないように精度よく形成される。
【００１３】
図１の２０はファインダ内表示装置であり、ＬＣＤやＬＥＤ等の表示素子２１と、表示素子２１の表示内容を接眼レンズ５に導くためのプリズム２２等から成る。プリズム２２の上面は位置決め部２ａの底面の一部を構成している。
【００１４】
ペンタダハミラー１０の下面Ｐとカメラボディ２の位置決め部２ａの底面との間には、弾性防塵部材３１が介装される。弾性防塵部材３１は、下面Ｐと同形状、つまり開口を有する四角形状とされ、予め下面Ｐかファインダ視野枠４１に固着される。弾性防塵部材３１の材質としては比較的柔らかいもの、例えばスポンジ状のものが望ましい。
【００１５】
ペンタダハミラー１０のカメラボディ２への固定は一対の板ばね３２で行う。すなわち、弾性防塵部材３１を介してペンタダハミラー１０を位置決め部２ａに位置決めすると、４箇所の突起１２ａ，１４ａがカメラボディ２の膨出部２ｂの上方に位置する。この状態で一対の板ばね３２の中央部分を弾性変形させつつばね座２ｄにビスで螺着する。これにより板ばね３２の両端（自由端）に下方の弾性力が発生し、突起１２ａ，１４ａが板ばね３２の両端により膨出部２ｂに押圧され支持される。本実施形態では、断面四角形状のペンタダハミラー１０の四隅近傍をばねで押圧する構成となっているため、安定した支持が可能となる。しかも４箇所の押圧を２つの板ばね３２で賄っているため、部品点数や組立工数の低減およびスペース効率の向上が図れる。
【００１６】
ここで、図５の拡大図に示すように、後側の突起１４ａには斜面が設けられ、その斜面が板ばね３２の一端に押圧される構成となっているため、ペンタダハミラー１０は下方に押圧されると同時に後方、すなわちカメラボディ２の立壁２ｃにも押圧される。これにより、光学性能上で影響の大きいペンタダハミラー１０の前後方向および回転方向の位置ずれが防止できる。また図４から分かるように、位置決め部２ａの両側壁によりペンタダハミラー１０の横方向の位置ずれが抑制される。
【００１７】
板ばね３２によって突起１２ａ，１４ａが押圧されると、視野枠４１上に配置された弾性防塵部材３１は下面Ｐと位置決め部２ａの底面（一部はプリズム２２の上面）との間で押しつぶされた状態（圧縮状態）となり、これにより下面Ｐと位置決め部底面との隙間が封止され、ファインダ内への塵埃の侵入を防止できる。特に本実施形態では、下面Ｐと位置決め部底面とのクリアランスが全面に渡って均一であり、上述したように４箇所の押圧により安定した支持がなされているため、弾性防塵部材３１の圧縮量も全体に渡って均一となり、確実な防塵効果が得られる。
【００１８】
また上記の支持構造によれば、ペンタダハミラー１０はその下面Ｐよりも上方の位置で押圧支持されており、下面Ｐ自体は位置決め部２ａの底面を押圧していないから、下面Ｐが受ける力は弾性防塵部材３１の弾性力のみである。弾性防塵部材３１はごく柔らかい材質（例えば、スポンジ状）であるから、その弾性力は極めて小さく、ダハミラー部１１を歪ませることはない（ファインダ性能の影響を及ぼすことはない）。
【００１９】
また上記の指示構造によれば、押圧される箇所（突起１２ａ，１４ａ）とその反力を受ける箇所（２ｂ）の位置が一同一であるため、ペンタダハミラー１０に不所望なモーメントが加わることがなく、モーメントによるダハミラー部１１の歪みも防止できる。
因みに、位置決め部２ａの底面で下面Ｐからの押圧力を受ける構成とした場合は、押圧される箇所（突起１２ａ，１４ａ）とその反力を受ける箇所（下面Ｐ）の位置が異なるためにペンタダハミラー１０に不所望なモーメントが加わり、ダハミラー部１１が歪むおそれがある。
【００２０】
また本実施形態ではペンタダハミラー１０の取り付けにあたって接着剤を使用しないので、接着時の押圧力や接着剤硬化時の収縮変形によるペンタダハミラー１０の歪みもない。さらに接着剤の硬化時間を考慮する必要もないので組立作業効率の向上が図れる。
【００２１】
図６に示すように、ペンタダハミラーの下面Ｐに先端が尖った突条Ｐａを形成してもよい。突条Ｐａを弾性防塵部材３２に食い込ませることにより、下面Ｐが平面の場合と比べて弾性防塵部材３２から受ける反力を低減させることができる。したがって、弾性防塵部材３２のつぶし量を大きくしてもダハミラー部１１が歪みを抑えられ、防塵効果の向上が図れる。突条Ｐａは下面Ｐ全体に、すなわち側壁１２，反射部材１３および射出壁１４の各下端面に形成することが望ましい。
【００２２】
なお、ペンタダハミラーを保持するためのばね部材は上記のような板ばねに限定されず、またばね部材で押圧する箇所も特に制約を受けない。スポンジ状の弾性防塵部材を設けたが、柔らかい材質であれば他のものでもよい。
【００２３】
【発明の効果】
本発明によれば、ファインダミラーユニットの被支持部をばね部材によりカメラ本体の支持部に押圧して支持せしめ、その押圧によりファインダミラーユニットの下面とカメラ本体との間に設けた弾性防塵部材が弾性変形するよう構成したので、ファインダミラーユニットの下面と本体との間に隙間が生ずることがなく、ファインダ内に塵埃が侵入を確実に防止できる。また接着剤を用いる必要がないので、ダハミラー部に歪みが発生することもなく、組立作業効率の向上も図れる。
【図面の簡単な説明】
【図１】一実施形態における一眼レフカメラのファインダ構造を示す図。
【図２】図１のＩＩ−ＩＩ線から見た図。
【図３】図２のＩＩＩ−ＩＩＩ線から見た図。
【図４】図１のＩＶ−ＩＶ線から見た断面図。
【図５】ばね部材による押圧部分を拡大して示す図。
【図６】ペンタダハミラーの下面に突条を設けた例を示す図。
【符号の説明】
２  カメラ本体
２ａ  位置決め部
２ｂ  膨出部
２ｃ  立壁
５  接眼レンズ
１０  ペンタダハミラー（ファインダミラーユニット）
１１  ダハミラー部
１１ａ  反射面
１２  側壁
１２ａ  突起
１３  反射部材
１３ａ  第３反射面
１４  車室壁
１４ａ  突起
２０  ファインダ内表示装置
３１  弾性防塵部材
３２  板ばね
Ｐ  ペンタダハミラーの下面
【図１】
2004157209.tif 000003
【図２】
2004157209.tif 000004
【図３】
2004157209.tif 000005
【図４】
2004157209.tif 000006
【図５】
2004157209.tif 000007
【図６】
2004157209.tif 000008